(57)【要約】      （修正有）【課題】容易に食材を分割することができる食材分割器を提供する。【解決手段】食材分割器は、食材Ｓを下方から支持する支持部材２４と、食材Ｓの側面に当接することにより支持部材２４と協働して食材Ｓを保持する円筒部材２２と、上下方向における支持部材２４と円筒部材２２との間で、食材Ｓの側面に刃線３００を向けて配設された刃３２とを備える。円筒部材２２と、刃３２とは、支持部材２４及び側面当接部によって保持された食材Ｓと刃線３００とを近づけるように、相対移動可能である。【選択図】図５
0003174855.tif 000002
【実用新案登録請求の範囲】
【請求項１】
食材分割器において、
食材を下方から支持する支持部材と、
食材の側面に当接することにより前記支持部材と協働して食材を保持する側面当接部材と、
上下方向における前記支持部材と前記側面当接部材との間で、食材の側面に刃線を向けて配設された刃と、
を備え、
前記側面当接部材と、前記刃とは、前記支持部材及び前記側面当接部によって保持された食材と前記刃線とを近づけるように、相対移動可能であることを特徴とする食材分割器。
【請求項２】
請求項１記載の食材分割器において、
前記支持部材及び前記側面当接部によって保持された食材に対して前記刃線を近づけるように前記刃が前記側面当接部材に対して移動することを特徴とする食材分割器。
【請求項３】
請求項２記載の食材分割器において、
前記刃に対して着脱可能に連結されて当該刃と一体的に移動する取っ手部材を備えることを特徴とする食材分割器。
【請求項４】
請求項２または３記載の食材分割器において、
前記側面当接部材と一体化された分割器本体を備え、
前記側面当接部材は、自器の食材分割器に対して所定方向に同種の他の食材分割器が隣接して配設される場合に、前記分割器本体を介して当該他の食材分割器の側面当接部材と連結可能であり、
前記刃は、自器の食材分割器に対して前記所定方向に同種の他の食材分割器が隣接して配設される場合に、当該他の食材分割器の刃と連結可能であり、
自器の食材分割器の前記側面当接部材が前記他の食材分割器の側面当接部材と連結され、かつ、自器の食材分割器の前記刃が前記他の食材分割器の刃と連結された状態で、これら刃は、これら側面当接部材に対して一体的に移動することを特徴とする食材分割器。
【請求項５】
請求項１記載の食材分割器において、
前記刃と一体化された分割器本体を備え、
前記側面当接部材は、自器の食材分割器に対して所定方向に同種の他の食材分割器が隣接して配設される場合に、当該他の食材分割器の側面当接部材と連結可能であり、
前記刃は、自器の食材分割器に対して前記所定方向に同種の他の食材分割器が隣接して配設される場合に、前記分割器本体を介して当該他の食材分割器の刃と連結可能であり、
自器の食材分割器の前記側面当接部材が前記他の食材分割器の側面当接部材と連結され、かつ、自器の食材分割器の前記刃が前記他の食材分割器の刃と連結された状態で、これら側面当接部材は、これら刃に対して一体的に移動することを特徴とする食材分割器。
【請求項６】
請求項１〜５の何れか一項に記載の食材分割器において、
前記支持部材は、
前記刃により食材が切断されて食材小片が形成された時点での当該食材小片の重心位置から外れ一方向に偏った位置に、食材の支持領域を有することを特徴とする食材分割器。
【請求項７】
請求項１〜６の何れか一項に記載の食材分割器において、
前記刃によって切断された食材の小片を収容する収容容器を備えることを特徴とする食材分割器。
【考案の詳細な説明】
【技術分野】
【０００１】
この考案は、食材分割器に関する。
【背景技術】
【０００２】
従来、食材をさいころ状に分割できる食材分割器が提案されている（例えば実公昭48−8204号公報参照）。
【０００３】
この食材分割器は、食材分割用の刃を有する分割器本体と、分割器本体の上部で食材を保持する保持部材とを備えている。分割器本体は、食材を下方から支持する支持台と、所定の方向に沿って支持台の上面に立設された複数の垂直切刃と、支持台の上面に対して平行に配設された水平切刃とを有している。また、保持部材は、支持台の上面側に開口した有底円筒状に形成されて食材を収容する円筒部材と、円筒部材の内部の食材を支持台の側に付勢して押し出すバネ部材とを有している。
【０００４】
以上の食材分割器では、食材を保持部材に収容した状態で支持台の上面に当接させ、保持部材とともにスライドさせることにより、当該食材を垂直切刃及び水平切刃でさいころ状に切断できるようになっている。
【考案の概要】
【考案が解決しようとする課題】
【０００５】
しかしながら、この食材分割器では、食材を分割する前に保持部材を支持台から離して食材を収容させる必要があるため、手間が掛かる。
【０００６】
本考案は、このような課題を解消するためになされたものであり、容易に食材を分割することができる食材分割器を提供することが目的である。
【課題を解決するための手段】
【０００７】
請求項１記載の考案は、食材分割器において、
食材を下方から支持する支持部材と、
食材の側面に当接することにより前記支持部材と協働して食材を保持する側面当接部材と、
上下方向における前記支持部材と前記側面当接部材との間で、食材の側面に刃線を向けて配設された刃と、
を備え、
前記側面当接部材と、前記刃とは、前記支持部材及び前記側面当接部によって保持された食材と前記刃線とを近づけるように、相対移動可能であることを特徴とする。
【０００８】
ここで、側面当接部材と刃とが相対移動可能であるとは、刃が移動せずに側面当接部材が刃に対して移動することや、側面当接部材が移動せずに刃が側面当接部材に対して移動することを含む。
【０００９】
請求項２記載の考案は、請求項１記載の食材分割器において、
前記支持部材及び前記側面当接部によって保持された食材に対して前記刃線を近づけるように前記刃が前記側面当接部材に対して移動することを特徴とする。
【００１０】
請求項３記載の考案は、請求項２記載の食材分割器において、
前記刃に対して着脱可能に連結されて当該刃と一体的に移動する取っ手部材を備えることを特徴とする。
【００１１】
請求項４記載の考案は、請求項２または３記載の食材分割器において、
前記側面当接部材と一体化された分割器本体を備え、
前記側面当接部材は、自器の食材分割器に対して所定方向に同種の他の食材分割器が隣接して配設される場合に、前記分割器本体を介して当該他の食材分割器の側面当接部材と連結可能であり、
前記刃は、自器の食材分割器に対して前記所定方向に同種の他の食材分割器が隣接して配設される場合に、当該他の食材分割器の刃と連結可能であり、
自器の食材分割器の前記側面当接部材が前記他の食材分割器の側面当接部材と連結され、かつ、自器の食材分割器の前記刃が前記他の食材分割器の刃と連結された状態で、これら刃は、これら側面当接部材に対して一体的に移動することを特徴とする。
【００１２】
請求項５記載の考案は、請求項１記載の食材分割器において、
前記刃と一体化された分割器本体を備え、
前記側面当接部材は、自器の食材分割器に対して所定方向に同種の他の食材分割器が隣接して配設される場合に、当該他の食材分割器の側面当接部材と連結可能であり、
前記刃は、自器の食材分割器に対して前記所定方向に同種の他の食材分割器が隣接して配設される場合に、前記分割器本体を介して当該他の食材分割器の刃と連結可能であり、
自器の食材分割器の前記側面当接部材が前記他の食材分割器の側面当接部材と連結され、かつ、自器の食材分割器の前記刃が前記他の食材分割器の刃と連結された状態で、これら側面当接部材は、これら刃に対して一体的に移動することを特徴とする。
【００１３】
請求項６記載の考案は、請求項１〜５の何れか一項に記載の食材分割器において、
前記支持部材は、
前記刃により食材が切断されて食材小片が形成された時点での当該食材小片の重心位置から外れ一方向に偏った位置に、食材の支持領域を有することを特徴とする。
【００１４】
請求項７記載の考案は、請求項１〜６の何れか一項に記載の食材分割器において、
前記刃によって切断された食材の小片を収容する収容容器を備えることを特徴とする。
【考案の効果】
【００１５】
請求項１記載の考案によれば、支持部材が食材を下方から支持し、側面当接部材が食材の側面に当接することで支持部材と協働して食材を保持し、刃が上下方向における支持部材と側面当接部材との間で、食材の側面に刃線を向けて配設されており、支持部材及び側面当接部によって保持された食材と刃線とを近づけるように側面当接部材と刃とは相対移動可能であるので、分割する食材を上方から供給して支持部材及び側面当接部材に保持させた後、刃と側面当接部材とを相対移動させて食材を刃で切断することができる。従って、食材を分割する前に保持部材を支持台から離して食材を収容させる従来の場合と比較して、容易に食材を分割することができる。
【００１６】
請求項４記載の考案によれば、自器の食材分割器に対して所定方向に同種の他の食材分割器が隣接して配設される場合に、自器の食材分割器の側面当接部材が分割器本体を介して他の食材分割器の側面当接部材と連結され、かつ、自器の食材分割器の刃が前記他の食材分割器の刃と連結され、この状態で、これら刃はこれら側面当接部材に対して一体的に移動するので、これらの刃を一体的に移動させることで、複数の食材をまとめて分割することができる。
【００１７】
請求項５記載の考案によれば、自器の食材分割器に対して所定方向に同種の他の食材分割器が隣接して配設される場合に、自器の食材分割器の側面当接部材が他の食材分割器の側面当接部材と連結され、かつ、自器の食材分割器の刃が分割器本体を介して前記他の食材分割器の刃と連結され、この状態で、これら側面当接部材はこれら刃に対して一体的に移動するので、これらの側面当接部材を一体的に移動させることで、複数の食材をまとめて分割することができる。
【００１８】
請求項６記載の考案によれば、食材小片が形成された時点での当該食材小片の重心位置から外れて一方向に偏った位置に、支持部材が食材の支持領域を有するので、形成された食材小片は支持部材に引っ掛かりつつ下方に落ちることとなる。従って、支持部材の上部から食材小片を取り除くことなく、残りの食材を支持部材上に配置することができるため、食材を連続的に分割することができる。
【図面の簡単な説明】
【００１９】
【図１】食材分割器の斜視図である。
【図２】分割器本体などの構造を示す図であり、（ａ）は斜視図、（ｂ）は側面図、（ｃ）は断面図である。
【図３】収容容器を示す斜視図である。
【図４】刃保持部材の構造を示す斜視図である。
【図５】食材の分割前の時点での分割器本体などを示す図であり、（ａ）は斜視図、（ｂ）は上面図である。
【図６】食材の分割後の時点での分割器本体などを示す図であり、（ａ）は斜視図、（ｂ）は上面図である。
【図７】分割器本体同士、刃保持部材同士をそれぞれ連結して食材を分割した様子を示す図である。
【図８】第２実施形態における食材分割器の斜視図である。
【図９】食材の分割前後の時点での食材分割器を示す側面図である。
【図１０】分割器本体同士、筒状部材同士がそれぞれ連結される様子を示す図である。
【考案を実施するための形態】
【００２０】
以下、添付図面を参照して本考案に係る実施の形態の一例を詳細に説明する。ただし、考案の範囲は、図示例に限定されない。
〔第１実施形態〕
まず、本考案の第１実施形態について説明する。
図１は、本実施形態における食材分割器１を示す斜視図である。なお、図１に示した「上」、「下」、「前」（手前）、「後」（奥）、「左」、「右」の各方向は、食材分割器１を使用するときにユーザから見た方向である。
【００２１】
この図に示すように、本実施形態における食材分割器１は、長尺な食材Ｓをスライスして分割するものであり、分割器本体２を備えている。なお、本実施の形態においては、食材Ｓを円筒状のスナック菓子として説明するが、竹輪やきゅうり、ソーセージなどとしても良い。
【００２２】
分割器本体２は、図２に示すように、上下方向に偏平で前後方向に長尺な中空の箱状の部材である。この分割器本体２は、上面、下面における前側部分に貫通孔部２０，２１を有している。
【００２３】
このうち、上面の貫通孔部２０の内周縁には、上方に向かって円筒部材２２が凸設されて分割器本体２と一体化されている。この円筒部材２２は、本考案における側面当接部材であり、当該円筒部材２２に上方から挿入される食材Ｓの側面に当接することで、後述の支持部材２４と協働して食材Ｓを保持するようになっている。なお、円筒部材２２が分割器本体２と一体化されているとは、円筒部材２２が分割器本体２と一体的に移動可能となっていることを言う。また、本実施の形態においては、貫通孔部２０及び円筒部材２２の内径は、食材Ｓの外径より僅かに大きいものの、この外径とほぼ等しい大きさとなっている。
【００２４】
一方、分割器本体２の下面の貫通孔部２１の内周縁には、下方に向かって円筒部材２３が凸設されている。
【００２５】
図２（ｃ）に示すように、円筒部材２３の内周面の前側（図中の左側）の部分には、後方に向かって支持部材２４が凸設されている。支持部材２４は、上方から円筒部材２２、貫通孔部２０，２１を介して円筒部材２３に挿通された食材Ｓの下面に当接し、当該食材Ｓを下方から支持するようになっている。なお、前後方向における支持部材２４の寸法は、食材Ｓの半径よりも小さくなっている。
【００２６】
また、円筒部材２３の内周面の下端部には係合凹部２３０が凹設されており、図１に示すように、この係合凹部２３０を介して円筒部材２３には収容容器５が装着されている。
【００２７】
収容容器５は、後述の図７に示すように、分割後の食材Ｓの小片（以下、食材小片ＳＳとする）を収容する有底円筒状の部材である。この収容容器５は、図３に示すように、上端部の外周面に係合凸部５１を有しており、この係合凸部５１を円筒部材２３の係合凹部２３０と係合させることで、円筒部材２３に対して着脱可能に装着されている。なお、本実施の形態においては、収容容器５は透明に形成されている。また、本実施の形態においては、図１に示すように、この収容容器５と、上述の貫通孔部２１及び円筒部材２３の内径は、貫通孔部２０及び円筒部材２２の内径よりも大きくなっている。また、収容容器５、貫通孔部２１及び円筒部材２３の中心軸は、貫通孔部２０及び円筒部材２２の中心軸よりも分割器本体２における後側に位置している。
【００２８】
また、図２に示すように、分割器本体２は、前端及び後端に開口部２５，２６を有しており、更に開口部２５の上下縁部に係合凸部２８を、開口部２６の上下縁部に係合凹部２９を有している。
【００２９】
このうち、係合凸部２８は上方または下方に突出するよう形成されており、係合凹部２９は上方または下方に窪むよう形成されている。そして、これら係合凸部２８，係合凹部２９は、同種の複数の食材分割器１が前後方向に隣接して並べられる場合に、他の食材分割器１における係合凹部２９，係合凸部２８と連結できるようになっている。そのため、複数の食材分割器１を前後方向に隣接させて分割器本体２同士を係合凹部２９，係合凸部２８により連結した場合には、円筒部材２２（本考案における側面当接部材）同士が分割器本体２を介して前後方向に連結されることとなる。
【００３０】
また、開口部２５，２６は、互いに対向して形成されている。これら開口部２５，２６の間に亘って、分割器本体２の内部には、刃保持部材３が配設されている。
【００３１】
刃保持部材３は、食材Ｓを食材小片ＳＳに分割するものであり、図４（ａ）に示すように、前後方向に長尺な矩形状の枠部３０を有している。
【００３２】
枠部３０は、前後方向の長さが分割器本体２と等しく、左右方向の長さが開口部２５，２６の幅と等しくなっており、開口部２５，２６内を通過することで分割器本体２に対して前後方向に摺動可能となっている。
【００３３】
この枠部３０の内側領域のうち、後側の部分（図中の右奥側の部分）には、矩形板状の刃３２が配設されており、刃３２よりも前側の部分には、上下方向に貫通する孔部３１が形成されている。
【００３４】
孔部３１は、図２（ｃ）に示すように、刃保持部材３の両端を分割器本体２の両端に合わせて刃保持部材３を分割器本体２の内部に配設したときに、円筒部材２２，２３の間に位置し、上方から円筒部材２２、貫通孔部２０を介して挿通された食材Ｓを内部に通すようになっている。
【００３５】
刃３２は、図４（ａ）に示すように、前端の縁部に刃線（刃先。切断するためのエッジ部分）３００を有する板状の部材であり、後端の縁部と、左右の両縁部とで枠部３０に固定されている。これにより、刃３２は、図２（ｃ）に示すように、孔部３１に食材Ｓが挿通されたときに、上下方向における支持部材２４と円筒部材２２との間で、食材Ｓの側面に刃線３００を向けて配設されるようになっている。更に、このとき刃３２は、刃保持部材３が分割器本体２に対して摺動することにより、円筒部材２２に対して移動し、食材Ｓに対して刃線３００を近づけて、食材Ｓを切断するようになっている。なお、この刃３２は左右方向に水平に延在しており、後述の図７の右側に示すように、食材Ｓを軸方向に対して垂直に切断するようになっている。
【００３６】
また、枠部３０の外側領域のうち、前端，後端の部分には、図４（ａ）に示すように、係合凸部３５，係合凹部３６が形成されている。
このうち、係合凸部３５は上方または下方に突出するよう形成されており、係合凹部３６は上方または下方に窪むよう形成されている。そして、これら係合凸部３５，係合凹部３６は、同種の複数の食材分割器１が前後方向に隣接して並べられる場合に、他の食材分割器１における係合凹部３６，係合凸部３５と連結できるようになっている。これにより、複数の食材分割器１を前後方向に隣接させて分割器本体２を介して円筒部材２２同士を連結し、かつ刃保持部材３同士を係合凸部３５，係合凹部３６により連結した場合には、これら刃保持部材３の刃３２は、これら円筒部材２２に対して一体的に移動することとなる。
【００３７】
なお、係合凸部３５は、図２に示すように、他の刃３２の係合凹部３６の代わりに、取っ手部材３８とも連結できるようになっている。取っ手部材３８は、食材Ｓを切断する際にユーザにより把持される部材であり、刃保持部材３の係合凸部３５に対して着脱可能に係合する係合凹部３９を有している。これにより、取っ手部材３８は、刃保持部材３の係合凸部３５や枠部３０を介して刃３２に連結され、当該刃３２と一体的に前後方向に移動できるようになっている。なお、本実施の形態においては、取っ手部材３８は扁平な板状に形成され、ユーザが指を掛けるための貫通孔部３８０を中央部に有している。
【００３８】
ここで、本実施の形態においては、図４（ａ）に示した刃保持部材３の代わりに、図４（ｂ），（ｃ）に示すような刃保持部材３Ａ，３Ｂを用いても良い。これらの刃保持部材３Ａ，３Ｂは、刃３２の形状が刃保持部材３と異なっている。より詳細には、刃保持部材３Ａの刃３２Ａは、左右方向の中途部で下方に凹んだＶ字状に形成されており、後述の図７の左側に示すように、食材ＳをＶ字型に切断するようになっている。一方、刃保持部材３Ｂの刃３２Ｂは、左側から右側に向かうにつれて低くなるよう傾斜して形成されており、後述の図７の中央に示すように、食材Ｓを軸方向に対して斜めに切断するようになっている。
【００３９】
＜作用・効果＞
続いて、図５，図６を用いて食材分割器１の作用効果について説明する。なお、図５，図６では、図示の簡略化のため、取っ手部材３８を省略している。
【００４０】
まず、図５に示すように、刃保持部材３の両端を分割器本体２の両端に合わせて刃保持部材３を分割器本体２の内部に配設した状態で、食材Ｓを円筒部材２２内に上方から挿入する。これにより、食材Ｓは円筒部材２２の下方の円筒部材２３まで挿入され、支持部材２４によって下方から支持される。
【００４１】
次に、図６に示すように、ユーザが刃保持部材３を前方に引き、分割器本体２に対して摺動させると、食材Ｓに対して刃線３００を近づけるように刃３２が円筒部材２２に対して移動し、食材Ｓを切断する。これにより、支持部材２４上に食材小片ＳＳが形成される。ここで、前後方向における支持部材２４の寸法は食材Ｓ（食材小片ＳＳ）の半径よりも小さいため、支持部材２４による食材Ｓの支持領域は、食材小片ＳＳが形成された時点での当該食材小片ＳＳの重心位置（以下、「初期重心位置」とする）から外れて前側に偏った位置となっている。そのため、支持部材２４上の食材小片ＳＳは、支持部材２４に引っ掛かりつつ下方に落ちて、収容容器５に収容される。なお、このとき残りの食材Ｓは刃３２の上部に支持された状態となる。
【００４２】
次に、ユーザが刃保持部材３を後方に押し戻すと、残りの食材Ｓが孔部３１を通って下方に落ち、支持部材２４によって支持される。
【００４３】
以降、ユーザが刃保持部材３を前方、後方に往復運動させる度に、食材Ｓが分割されて食材小片ＳＳが形成され、収容容器５に収容される。
【００４４】
なお、例えば図７に示すように、刃保持部材３Ａ、刃保持部材３Ｂ及び刃保持部材３を具備する３つの食材分割器１をこの順で前後方向に並べて分割器本体２同士（円筒部材２２同士）と、刃保持部材３Ａ，３Ｂ，３同士とをそれぞれ連結し、食材Ｓを分割すると、それぞれ異なる形状の食材小片ＳＳをまとめて形成することができる。但し、図７では、便宜上、円筒部材２３と収容容器５とを分離して図示している。
【００４５】
以上に示したように、本実施の形態における食材分割器１によれば、支持部材２４が食材Ｓを下方から支持し、円筒部材２２が食材Ｓの側面に当接することで支持部材２４と協働して食材Ｓを保持し、刃３２が上下方向における支持部材２４と円筒部材２２との間で、食材Ｓの側面に刃線３００を向けて配設され、支持部材２４及び円筒部材２２によって保持された食材Ｓと刃線３００とを近づけるように円筒部材２２と刃３２とが相対移動可能であるので、分割する食材Ｓを上方から供給して支持部材２４及び円筒部材２２に保持させた後、刃３２と円筒部材２２とを相対移動させることにより、食材Ｓを刃３２で切断することができる。従って、食材Ｓを分割する前に保持部材を支持台から離して食材Ｓを収容させる従来の場合と比較して、容易に食材Ｓを分割することができる。
【００４６】
また、食材小片ＳＳの「初期重心位置」から外れて前方に偏った位置に支持部材２４が食材Ｓの支持領域を有するので、形成された食材小片ＳＳは支持部材２４に引っ掛かりつつ下方に落ちることとなる。従って、支持部材２４の上部から食材小片ＳＳを取り除くことなく、残りの食材Ｓを支持部材２４上に配置することができるため、食材Ｓを連続的に分割することができる。
【００４７】
また、自器の食材分割器１に対して同種の他の食材分割器１が前後方向に隣接して配設される場合に、自器の食材分割器１の円筒部材２２が分割器本体２を介して他の食材分割器１の円筒部材２２と連結され、かつ、自器の食材分割器１の刃３２が前記他の食材分割器１の刃３２と連結され、この状態で、これら刃３２はこれら円筒部材２２に対して一体的に移動するので、これらの刃３２を一体的に相対移動させることで、複数の食材Ｓをまとめて分割することができる。
【００４８】
〔第２実施形態〕
続いて、本考案の第２実施形態について説明する。なお、上述の第１実施形態との間で互いに対応する部分が同様に構成されている場合には、同一の符号を付して、その説明を省略する。
【００４９】
図８は、本実施形態における食材分割器１Ｃを示す斜視図である。また、図９は、食材Ｓを分割するときの食材分割器１Ｃの状態を示す側面図である。
これらの図に示すように、本実施の形態における食材分割器１Ｃは、前後方向に長尺な中空の箱状の分割器本体２Ｃを備えている。
【００５０】
この分割器本体２Ｃは、内部に支持部材２４Ｃを有し、上面，前面に貫通孔部２０Ｃ，２１Ｃを有している。
【００５１】
支持部材２４Ｃは、図９に示すように、分割器本体２Ｃの後部の内壁から前方に向かって水平に凸設されており、後述の円筒部材４１を介して上方から貫通孔部２０Ｃに挿通される食材Ｓの下面に当接し、当該食材Ｓを下方から支持するようになっている。なお、この支持部材２４Ｃの前端は、後述の刃３２Ｃにおける刃線３００の直下位置に対して食材Ｓの半径分だけ前方の位置よりも、後側となっている。
【００５２】
この支持部材２４Ｃの前端には、スロープ板２００が設けられている。このスロープ板２００は、後側から前側に向かうにつれて低くなるよう傾斜して形成されており、支持部材２４Ｃの上面に形成される食材小片ＳＳを、分割器本体２Ｃの内部底面まで滑らせるようになっている。
【００５３】
分割器本体２Ｃの前面の貫通孔部２１Ｃは、分割器本体２Ｃの内部で形成された食材小片ＳＳを分割器本体２Ｃの外部に取り出すための開口であり、食材小片ＳＳよりも大きく形成されている。
【００５４】
分割器本体２Ｃの上面の貫通孔部２０Ｃは、前後方向に長尺に形成されている。貫通孔部２０Ｃの内部には、筒保持部材４と、刃３２Ｃとが配設されている。
【００５５】
筒保持部材４は、図８，図９に示すように、板状部材４０と円筒部材４１とを備えている。
【００５６】
板状部材４０は、上下方向の貫通孔部４００を有する矩形板状に形成されており、貫通孔部２０Ｃ、ひいては分割器本体２Ｃに対して前後方向に摺動可能に配設されている。
【００５７】
円筒部材４１は、貫通孔部４００の内周縁から上方に向かって凸設されている。この円筒部材４１は、本考案における側面当接部材であり、当該円筒部材４１に上方から挿入される食材Ｓの側面に当接することで、支持部材２４Ｃと協働して食材Ｓを保持するようになっている。なお、本実施の形態においては、貫通孔部４００及び円筒部材４１の内径は、食材Ｓの外径より僅かに大きいものの、この外径とほぼ等しい大きさとなっている。
【００５８】
以上の筒保持部材４は、分割器本体２Ｃに対して摺動することにより、刃３２Ｃに対して移動するようになっている。
【００５９】
刃３２Ｃは、後端の縁部に刃線３００を有する板状の部材であり、前端の縁部と、左右の両縁部とで貫通孔部２０Ｃの前側に固定されて分割器本体２Ｃに一体化されている。より詳細には、刃３２Ｃは、筒保持部材４の板状部材４０よりも下側で、貫通孔部２０Ｃに固定されている。これにより、刃３２Ｃは、図９（ａ）に示すように、円筒部材４１に食材Ｓが挿通されたときに、上下方向における円筒部材４１と、支持部材２４Ｃとの間で、食材Ｓの側面に刃線３００を向けて配設されるようになっている。なお、この刃３２Ｃは左右方向に水平に延在しているが、上述の図４（ｂ），（ｃ）と同様に、左右方向の中途部で下方に凹んだＶ字状に形成されていても良いし、左側から右側に向かうにつれて低くなるよう傾斜して形成されていても良い。
【００６０】
＜作用・効果＞
続いて、図９を用いて食材分割器１Ｃの作用効果について説明する。
【００６１】
まず、図９（ａ）に示すように、筒保持部材４を分割器本体２Ｃの後端に配設した状態で、食材Ｓを円筒部材４１内に上方から挿入する。これにより、食材Ｓは支持部材２４Ｃによって下方から支持される。
【００６２】
次に、図９（ｂ）に示すように、ユーザが筒保持部材４を前方に引き、分割器本体２Ｃに対して摺動させると、刃線３００に食材を近づけるように円筒部材４１が刃３２Ｃに対して移動し、食材Ｓが切断される。これにより、支持部材２４Ｃ上に食材小片ＳＳが形成される。ここで、支持部材２４Ｃの前端は刃線３００の直下位置に対して食材Ｓ（食材小片ＳＳ）の半径分だけ前方の位置、つまり食材小片ＳＳの「初期重心位置」よりも後側となっており、換言すれば、支持部材２４Ｃによる食材Ｓの支持領域は食材小片ＳＳの「初期重心位置」から外れて後側に偏った位置となっている。そのため、支持部材２４Ｃ上の食材小片ＳＳは、支持部材２４Ｃに引っ掛かりつつスロープ板２００上を滑り落ちて、分割器本体２Ｃ内の前側空間に収容される。なお、このとき残りの食材Ｓは刃３２Ｃの上部に支持された状態となる。
【００６３】
次に、ユーザが筒保持部材４を後方に押し戻すと、残りの食材Ｓが貫通孔部２０Ｃを通って下方に落ち、支持部材２４Ｃによって支持される。
【００６４】
以降、ユーザが筒保持部材４を前方、後方に往復運動させる度に、食材Ｓが分割されて食材小片ＳＳが形成され、分割器本体２Ｃ内の前側空間に収容される。
【００６５】
なお、例えば、図１０に示すように、同種の複数の食材分割器１Ｃを左右方向に３つ並べて刃３２Ｃ同士と、円筒部材４１同士とをそれぞれ連結して食材Ｓを分割すると、多数の食材小片ＳＳをいっぺんに形成することができる。ここで、この図では、刃３２Ｃ同士が分割器本体２Ｃを介して枠部材２０３によって連結され、円筒部材４１同士が枠部材４１０によって連結されており、これら円筒部材４１は、これら刃３２Ｃに対して一体的に移動するようになっている。より詳細には、枠部材２０３は、左右方向に３つ並べられた分割器本体２Ｃと同寸法の孔部２０４を有しており、この孔部２０４に３つの分割器本体２Ｃを嵌合させることで、分割器本体２Ｃ同士、ひいては刃３２Ｃ同士を左右方向に連結している。また、枠部材４１０は、円筒部材４１と同寸法の孔部４１１を有しており、各孔部４１１に円筒部材４１を嵌合させることで、円筒部材４１同士を左右方向に連結している。
【００６６】
以上の食材分割器１Ｃによっても、上記第１実施形態における食材分割器１と同様の効果を得ることができる。
【００６７】
なお、本考案は上記実施形態に限定されるものではなく、適宜変更・改良が可能であることはもちろんである。
【００６８】
例えば、支持部材２４，２４Ｃの形態は、当該支持部材２４，２４Ｃが食材小片ＳＳの「初期重心位置」から外れて一方向へ偏った位置に食材Ｓの支持領域を有する限りにおいて、他の形態としても良い。
【００６９】
また、分割器本体２同士が係合凸部２８及び係合凹部２９によって連結され、刃保持部材３同士が係合凸部３５及び係合凹部３６によって連結され、分割器本体２Ｃ同士が枠部材２０３によって連結され、円筒部材４１同士が枠部材４１０によって連結されることとして説明したが、磁石を用いた機構など、他の機構によって連結されることとしても良い。
【００７０】
また、上記の第２実施形態における食材分割器１Ｃでは、食材小片ＳＳを分割器本体２Ｃ内の前側空間に収容することとして説明したが、食材小片ＳＳを収容する収容容器を分割器本体２Ｃに連結し、この収容容器に収容することとしても良い。
【符号の説明】
【００７１】
１，１Ｃ          食材分割器
５                収容容器
２２，４１        円筒部材（側面当接部材）
２４，２４Ｃ      支持部材
３２，３２Ｃ      刃
３８              取っ手部材
３００            刃線
Ｓ                食材
【図１】
0003174855.tif 000003
【図２】
0003174855.tif 000004
【図３】
0003174855.tif 000005
【図４】
0003174855.tif 000006
【図５】
0003174855.tif 000007
【図６】
0003174855.tif 000008
【図７】
0003174855.tif 000009
【図８】
0003174855.tif 000010
【図９】
0003174855.tif 000011
【図１０】
0003174855.tif 000012